(57)【要約】      （修正有）【課題】巻き取りパイプにたわみ現象等が生じても、昇降具がガイド支柱に沿って正しく昇降動作をする温室シートの自動巻き取り装置を提供する。【解決手段】昇降具がコ字形の端部フレーム１３を有し、駆動装置２０の端部に固着したコ字形の取付フレーム２５を前記端部フレームと逆向きに対設し、端部フレーム１３と取付フレーム２５との間に中間材３０を配置する。中間材に端部フレームと取付フレームに跨るボルトを挿通して駆動装置２０が中間材３０を介して昇降具１０の側面を回動できるようにする。【選択図】図１
0003165062.tif 000002
【実用新案登録請求の範囲】
【請求項１】
温室の角部に立設したガイド支柱を上下する昇降具と連設した駆動装置がモータを搭載し、駆動装置から突出した出力軸と連動する巻き取りパイプに巻装したシートが温室の側面等を開閉して換気を行う温室シートの自動巻き取り装置において、昇降具がコ字形の端部フレームを有し、駆動装置端部に固着したコ字形の取付フレームを前記端部フレームと逆向きに対設し、端部フレームと取付フレームとの間にワッシャ形の中間材を配置し且つ該中間材に端部フレームと取付フレームに跨るボルトを挿通して駆動装置が中間材を介して昇降具側面を回動できることを特徴とする温室シートの自動巻き取り装置。
【考案の詳細な説明】
【技術分野】
【０００１】  本考案は、植物栽培用温室の側面・妻面等に沿って配設される被覆シートの巻き取り・巻き戻し操作を行う温室シートの自動巻き取り装置に関する。
【背景技術】
【０００２】  植物の育成に適した環境を維持するために、従来から温室の側面・屋根・妻面に沿って開閉自在の被覆シートを設けて換気、室温、遮光の調整を行う手法が採られている。そして前記シートは巻き取りパイプに巻装され、巻き取りパイプは、温室の側面に立設したガイド支柱に沿って昇降する駆動装置によって操作される（例えば特許文献１〜２参照）。
【先行技術文献】
【特許文献】
【０００３】
【特許文献１】特開平７−１５５０６４号公報
【特許文献２】登録実用新案第３０２３７９３号公報
【考案の概要】
【考案が解決しようとする課題】
【０００４】  特許文献１に記載されたものは、温室の縦フレームパイプ（ガイド支柱）に巻き取り駆動装置を自走可能に装着し、巻き取り駆動装置の出力軸にシート巻き取りパイプを連動連設するとともにシート巻き取りパイプに巻き取り自在に連結することを主旨としている。この技術は駆動装置が電動モータを駆動源とし、巻き取りシートを下端縁から平行に巻き取ることが出来て巻き取りじわなどの弊害を防止できるとするが、長尺の巻き取りパイプであると数十メートルから１００メートルに及ぶものがあるため長期使用を繰り返すと駆動装置の重みやパイプ自身の経年変化によってパイプ端部が歪曲変形することは否めず、その結果縦フレームパイプと駆動装置の間に軋轢を生じて巻き取りパイプの開閉操作に支障をきたすという問題点がある。【０００５】  特許文献２に記載されたものは、ハウス（温室）を被覆するフィルム（シート）の開閉、特に開口時の巻き上げを小型モータで円滑に出来るようにしてフィルムを巻き取る場合に生じる曲げモーメント小さくすることを謳っている。この技術は小型モータの出力の範囲内では有効であっても、前記した長尺の巻き取りパイプを円滑に回動させるための高出力を要する巻き取り装置には必ずしも妥当するとは言い難い。【０００６】  本考案は上記した従来技術に鑑みてなされたものであり、長尺の巻き取りパイプに負荷がかかってパイプ端部が歪曲するような事態が生じても、パイプの動きに応じて駆動部がガイド支柱に沿って円滑に昇降でき、被覆シートの巻き取り・巻き戻しが絶えず正常に操作できる温室シートの巻き取り装置を提供することを意図している。
【課題を解決するための手段】
【０００７】  課題を解決するために本考案は、温室の角部に立設したガイド支柱を上下する昇降具と連設した駆動装置がモータを搭載し、駆動装置から突出した出力軸と連動する巻き取りパイプに巻装したシートが温室の側面等を開閉して換気を行う温室シートの自動巻き取り装置において、昇降具がコ字形の端部フレームを有し、駆動装置端部に固着したコ字形の取付フレームを前記端部フレームと逆向きに対設し、端部フレームと取付フレームとの間にワッシャ形の中間材を配置し且つ該中間材に端部フレームと取付フレームに跨るボルトを挿通して駆動装置が中間材を介して昇降具側面を回動できることを特徴としている。
【考案の効果】
【０００８】  本考案によると、ガイド支柱に取り付けた昇降具に連動してモータを搭載した駆動装置も上下するのでシートは駆動装置に連結した巻き取りパイプにより巻き取り・巻き戻しがなされ温室側面等を開閉して温室の換気をする。そして例えば長尺の巻き取りパイプであってシート開閉時に大きな負荷がかかってパイプ端部がたわむことがあった場合、従来であるとパイプを連結している駆動装置に余分な力が加わって昇降具がガイド支柱に沿って正常な動きをとることができず傾斜したり甚だしい場合は昇降動作が困難となるが、本考案ではそのようなときに駆動装置が巻き取りパイプと連動して傾いてもワッシャ形の中間材が存在するため昇降具とは別に独自の回動をすることができ、このため昇降具の上下動には影響を及ぼすことがない。つまりシートの巻き取り・巻き戻しの際に昇降具はガイド支柱に沿って正しく移動するが、駆動装置は巻き取りパイプのたわみ等の変化に応じた動きをするためシートの巻き取り・巻き戻しは絶えずスムースに行われて装置全体に負荷がかかることがなくその寿命も保たれる。【０００９】  本考案では、昇降具の端部フレームと駆動装置の取付フレームとの間に中間材を介装し、その中間材にボルトを通して端部フレームに対し取付フレームがフリーな動きをすることを可能としたことで昇降具と連動して駆動蔵置が上下動をしつつも昇降具とは別個の動きができるという画期的な構成となっており、然も構造上は頗るシンプルであるから安価量産に好適するという副次的効果を発揮する。
【図面の簡単な説明】
【００１０】
【図１】本案装置の概略平面図である。
【図２】本案装置の要部を示す分解図である。
【図３】本案装置の概略側面図である。
【図４】本案装置の概略背面図である。
【考案を実施するための形態】
【００１１】  図面を参照して本考案の実施形態を説明すると、１は温室の角部に立設されるガイド支柱で、このガイド支柱に昇降具１０が取り付けられる。昇降具１０は一対の側板１１の内部にローラー１２が左右上下に配設されていて、ガイド支柱１はローラー１２の中心部に位置し、昇降具１０には前記一対の側板１１を構成するためのコ字形の端部フレーム１３が固着してある。なおガイド支柱１は温室の内外いずれの場所にも設置可能である。
【００１２】  ２０は昇降具１０に連設した駆動装置で、モーター２１が搭載され、昇降具１０をガイド支柱１に沿って自動昇降させることができる。駆動装置２０には出力軸２２が突出し、出力軸２２に巻き取りパイプ２３が連結され、巻き取りパイプ２３にシート２４が巻装される。駆動装置２０は昇降具１０の端部フレーム１３と逆向きに対設してコ字形の取付フレーム２５がねじ止めされている。
【００１３】  昇降具１０と駆動装置２０の間には合成樹脂、好ましくはデルリン（登録商標）を材料とするワッシャ形の中間材３０が配置され、該中間材３０は取付フレーム２５に固着され昇降具１０の端部フレーム１３側からたボルト３１が挿通されて取付フレーム２５内に突出し当然ながらナット３２で緊締されている。すなわちボルト３１は端部フレーム１３側から中間材３０の中心孔３０ａ内を通ると、先端のねじ部３１ａが取付フレーム２５内のナット３２と螺着するが、このときボルト３１は中間材３０には固着されず、中間材３０の中心孔３０ａ内にあって回動可能状態となっている。つまりボルト３１はナット３２とともに端部フレーム１３と連動する仕組みであり、それゆえ昇降具１０と駆動装置２０は連設されてはいても両者は相互に回動可能となる仕組みである。そして昇降具１０はガイド支柱１の軌道上を同じ動きをするが、駆動装置２０は巻き取りパイプ２３に応じた動きをするため巻き取りパイプ２３との間に無理な摩擦を生ずることがなく、昇降具１０に負担がかからないためガイド支柱１との間の動きもスムースになるものである。
【００１４】  本案におけるガイド支柱１、昇降具１０、駆動装置２０の基本構造は従来周知のものと大差はなく、したがってそれらの細部については図面及び説明を省略した。また中間材３０に挿通するボルト３１は取付フレーム２５側から端部フレーム１３側に向けて取り付けることも可能であるが、それらの構成及び中間材３０の形状・材料、更にはモーター２１の位置なども任意であっていずれも本案の自由な実施の範疇に属するものであること勿論である。
【符号の説明】
【００１５】  １    ガイド支柱
１０  昇降具
１３  端部フレーム
２０  駆動装置
２１  モーター
２２  出力軸
２３  巻き取りパイプ
２４  シート
２５  取付フレーム
３０  中間材
３１  ボルト
【図１】
0003165062.tif 000003
【図２】
0003165062.tif 000004
【図３】
0003165062.tif 000005
【図４】
0003165062.tif 000006